(57)【特許請求の範囲】
【請求項１】
電動工具又は充電器の取付部に対してスライドさせて着脱可能な電池パックであって、
ストッパを有する係合部材と、
前記係合部材の作動を規制するための作動規制部材と、
を備え、
前記係合部材は、摺動可能かつ揺動可能に支持されるとともに、前記ストッパが前記取付部に対して係合可能となるように付勢されており、当該付勢力に抗って摺動または揺動したときに前記ストッパが退避するものであって、
前記作動規制部材は、前記係合部材の揺動を規制するための当接部と、前記当接部を変位させて前記係合部材の揺動の規制を解除するための操作部と、を有しており、
前記電池パックが取り付け方向にスライドされたときには、前記取付部に押圧された前記係合部材が摺動して前記ストッパを退避させるとともに、
前記操作部が操作されて前記係合部材の揺動の規制が解除された上で前記電池パックが取り外し方向にスライドされたときには、前記取付部に押圧された前記係合部材が揺動して前記ストッパを退避させることを特徴とする、電池パック。
【請求項２】
前記操作部は、前記電池パックの両側に相対するように２つ設けられていることを特徴とする、請求項１記載の電池パック。
【請求項３】
前記作動規制部材は、前記操作部を前記電池パックの内方に押し込み操作することで作動することを特徴とする、請求項１又は２記載の電池パック。
【請求項４】
前記係合部材は、先端が曲面に形成された押上部材によって付勢されていることを特徴とする、請求項１〜３のいずれかに記載の電池パック。
【請求項５】
請求項１〜４のいずれかに記載の電池パックを取り付けたことを特徴とする、電動工具。
【請求項６】
請求項１〜４のいずれかに記載の電池パックを取り付けたことを特徴とする、充電器。
【発明の詳細な説明】
【技術分野】
【０００１】
本発明は、電動工具等の電源として電動工具や充電器等の対象機器に着脱自在に設けられる電池パック、並びに、この電池パックを取り付けた電動工具及び充電器に関する。
【背景技術】
【０００２】
従来、電動工具等の電源として用いられる電池パックは、電動工具のグリップ部や充電器に着脱可能となっており、装着により電池パックのプラス及びマイナスの端子が、上記電動工具や充電器等の対象機器に設けられた端子と接触するように構成されている。
【０００３】
また、このような電池パックの取り付け構造として、電池パックを電動工具の取付部に対してスライドさせて装着するものが知られている。このようなスライド式の取り付け構造においては、特許文献１に示されるように、電池パックに係止フックを設け、この係止フックを電動工具の取付部に係止させることで、電池パックを取付部に取り付けることが一般的である。
【０００４】
そして、電池パックを取り外す際には、所定の操作によって係止フックの係合を解除するように形成する。例えば、この特許文献１記載の構造においては、係止解除ボタンを電池パックの両側部に設け、係止解除ボタンを電池パックの内側に押し込み操作したときに係止フックが係止解除方向に移動するようにしている。詳しくは、係止解除ボタンの傾斜した内側面が係止フックの受け部に当接し、これにより、傾斜係止解除ボタンが押し込み操作されたときに係止解除ボタンの内側面上を係止フックの受け部が摺動して、係止フックを係止解除方向に移動させるように形成している。
【先行技術文献】
【特許文献】
【０００５】
【特許文献１】特開２００８−１０３１４４号公報
【発明の概要】
【発明が解決しようとする課題】
【０００６】
しかしながら、作業現場においては電池パックの内部に粉塵が入り込むことは避けられない。上記した特許文献１記載の構造において電池パックの内部に粉塵が入り込むと、この粉塵が前記した摺動面に入り込むおそれがある。摺動面に粉塵が入り込んだ状態で係止解除操作が行われると、粉塵を挟み込んで摺動することにより摺動面が荒れてしまうため、摩擦抵抗が大きくなるという問題が発生する。そして、摩擦抵抗が大きくなると、荷重が増大して操作性が悪くなり、最悪の場合は操作自体ができなくなる可能性もある。
【０００７】
そこで、本発明は、電池パックの取り付け構造において、摺動面が荒れて摩擦抵抗が大きくなるという問題を回避することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の電池パックは、電動工具又は充電器の取付部に対してスライドさせて着脱可能な電池パックであって、ストッパを有する係合部材と、前記係合部材の作動を規制するための作動規制部材と、を備え、前記係合部材は、摺動可能かつ揺動可能に支持されるとともに、前記ストッパが前記取付部に対して係合可能となるように付勢されており、当該付勢力に抗って摺動または揺動したときに前記ストッパが退避するものであって、前記作動規制部材は、前記係合部材の揺動を規制するための当接部と、前記当接部を変位させて前記係合部材の揺動の規制を解除するための操作部と、を有しており、前記電池パックが取り付け方向にスライドされたときには、前記取付部に押圧された前記係合部材が摺動して前記ストッパを退避させるとともに、前記操作部が操作されて前記係合部材の揺動の規制が解除された上で前記電池パックが取り外し方向にスライドされたときには、前記取付部に押圧された前記係合部材が揺動して前記ストッパを退避させることを特徴とする。
【００１１】
（請求項２）
請求項２に記載の発明は、上記した請求項１記載の発明の特徴点に加え、以下の点を特徴とする。
【００１２】
すなわち、前記操作部は、前記電池パックの両側に相対するように２つ設けられていることを特徴とする。
【００１３】
（請求項３）
請求項３に記載の発明は、上記した請求項１又は２記載の発明の特徴点に加え、以下の点を特徴とする。
【００１４】
すなわち、前記作動規制部材は、前記操作部を前記電池パックの内方に押し込み操作することで作動することを特徴とする。
【００１５】
（請求項４）
請求項４に記載の発明は、上記した請求項１〜３のいずれかに記載の発明の特徴点に加え、以下の点を特徴とする。
【００１６】
すなわち、前記係合部材は、先端が曲面に形成された押上部材によって付勢されていることを特徴とする。
【００１７】
（請求項５）
請求項５に記載の発明は、上記した請求項１〜４のいずれかに記載の電池パックを取り付けたことを特徴とする、電動工具である。
【００１８】
（請求項６）
請求項６に記載の発明は、上記した請求項１〜４のいずれかに記載の電池パックを取り付けたことを特徴とする、充電器である。
【発明の効果】
【００１９】
本発明は上記の通りであり、係合部材は、摺動可能かつ揺動可能に支持されるとともに、ストッパが取付部に対して係合可能となるように付勢されており、当該付勢力に抗って摺動または揺動したときにストッパが退避するものであって、作動規制部材は、前記係合部材の揺動を規制するための当接部と、前記当接部を変位させて前記係合部材の揺動の規制を解除するための操作部と、を有しており、電池パックが取り付け方向にスライドされたときには、前記取付部に押圧された前記係合部材が摺動して前記ストッパを退避させるとともに、前記操作部が操作されて前記係合部材の揺動の規制が解除された上で前記電池パックが取り外し方向にスライドされたときには、前記取付部に押圧された前記係合部材が揺動して前記ストッパを退避させるように形成されている。
【００２０】
すなわち、電池パックを取り外すためにストッパを退避させる動作を、操作部の操作によるのではなく、取付部のスライドによって行うようにしており、操作部の操作は単にストッパを退避可能な状態とするためのものとして設けられている。
【００２１】
このため、係合部材を作動させるための摺動面というものを設ける必要がなく、摺動面が荒れて摩擦抵抗が大きくなるという問題が発生することもない。よって、荷重が増大して操作性が悪くなることや、操作ができなくなるという問題を回避することができる。
【図面の簡単な説明】
【００２２】
【図１】電池パックを取り付けた電動工具の外観斜視図である。
【図２】電動工具の取付部を示す図である。
【図３】電池パックの外観斜視図である。
【図４】電池パックの分解図である。
【図５】電池パックの平面図である。
【図６】通常時の電池パックを示す図であって、（ａ）Ａ−Ａ断面図、（ｂ）Ｂ−Ｂ断面図、（ｃ）Ｃ−Ｃ断面図である。
【図７】通常時の蓋部材と係合部材との関係を示す、電池パック上部の一部斜視断面図である。
【図８】係合部材が摺動した時の電池パックを示す図であって、（ａ）Ａ−Ａ断面図、（ｂ）Ｂ−Ｂ断面図、（ｃ）Ｃ−Ｃ断面図である。
【図９】係合部材が摺動した時の蓋部材と係合部材との関係を示す、電池パック上部の一部斜視断面図である。
【図１０】係合部材が揺動した時の電池パックを示す図であって、（ａ）Ａ−Ａ断面図、（ｂ）Ｂ−Ｂ断面図、（ｃ）Ｃ−Ｃ断面図である。
【図１１】係合部材が揺動した時の蓋部材と係合部材との関係を示す、電池パック上部の一部斜視断面図である。
【図１２】電池パックを電動工具に取り付ける様子を示す図（その１）であって、（ａ）Ｂ−Ｂ断面図、（ｂ）Ｃ−Ｃ断面図である。
【図１３】電池パックを電動工具に取り付ける様子を示す図（その２）であって、（ａ）Ｂ−Ｂ断面図、（ｂ）Ｃ−Ｃ断面図である。
【図１４】電池パックを電動工具に取り付けた状態を示す図であって、（ａ）Ｂ−Ｂ断面図、（ｂ）Ｃ−Ｃ断面図である。
【図１５】電池パックを電動工具から取り外す様子を示す図（その１）であって、（ａ）Ｂ−Ｂ断面図、（ｂ）Ｃ−Ｃ断面図である。
【図１６】電池パックを電動工具から取り外す様子を示す図（その２）であって、（ａ）Ｂ−Ｂ断面図、（ｂ）Ｃ−Ｃ断面図である。
【図１７】電池パックを取り付けた充電器の外観斜視図である。
【発明を実施するための形態】
【００２３】
本発明の実施形態について、電動工具１００としての電動回転工具を例にして、説明する。
【００２４】
なお、以下の説明においては、上下前後左右の各方向を以下の方向として説明する。すなわち、電池パック１０の取付面方向を上方向、上方向の逆方向を下方向とする。また、電池パック１０を取り付け方向Ｄ１にスライドさせたときの前方向を前方向、後方向を後方向とする。また、前方向を向いて右方向を右方向、左方向を左方向とする（図６を例にすると、図６における上方向が上方向、下方向が下方向である。また、図６（ｂ）における右方向が前方向、左方向が後方向である。また、図６（ａ）における右方向が右方向、左方向が左方向である）。
【００２５】
本実施形態に係る電動工具１００及び電池パック１０は、図１に示すように、互いに着脱可能に形成されている。すなわち、電動工具１００のグリップの下端部には、電池パック１０を取り付けるための取付部１０１が形成されており、グリップの下端面と電池パック１０の上端面とが接触するように電池パック１０を取り付け可能となっている。
【００２６】
電動工具１００の取付部１０１は、図２に示すように、グリップの下端部に設けられた底盤１０２と、この底盤１０２の両側に設けられた側下垂部１０３と、を備えている。
【００２７】
底盤１０２は、下面に沿って電池パック１０の上面を摺動させるためのものであり、先端部１０２ａ付近の底面には、電池パック１０を掛止するための被係合部１０６が凹設されている。被係合部１０６は、断面略Ｖ字状の窪みであり、先端部１０２ａ側の面が略垂直に形成されるとともに、反先端部１０２ａ側の面が傾斜して形成されている。
【００２８】
側下垂部１０３は、底盤１０２の左右両端縁から下方に突出するように設けられており、電池パック１０を取り付けたときに電池パック１０の上側部に対して外側から当接するように形成されている。この側下垂部１０３の下端縁は、内側に突出して案内凸条１０４を形成しており、これにより、案内凸条１０４の上部にスライド溝１０５を形成している。この案内凸条１０４及びスライド溝１０５は、電池パック１０の上側部に設けられたガイドレール部２１及び溝２２（後述）とスライド可能に係合させるためのものである。
【００２９】
一方、本実施形態に係る電池パック１０は、図３に示すように、上記した案内凸条１０４及びスライド溝１０５と係合するガイドレール部２１及び溝２２が上側部に形成されている。このガイドレール部２１及び溝２２は、電池パック１０の表面に両側に形成されており、このガイドレール部２１及び溝２２が設けられていることによって電池パック１０を電動工具１００の取付部１０１に対してスライドさせて着脱可能となっている。すなわち、ガイドレール部２１が外側に突出することによりガイドレール部２１の下部に溝２２を形成しており、この溝２２の開口端側から案内凸条１０４を差し込むことにより、案内凸条１０４及びスライド溝１０５とガイドレール部２１及び溝２２とが係合した状態で電池パック１０をスライドさせることができる。
【００３０】
また、この電池パック１０の上面には、前述した被係合部１０６と係合するストッパ３１が突出方向に付勢されている。このストッパ３１は、ガイドレール部２１及び溝２２の延設方向と直交する方向に出没するように設けられている。これにより、ストッパ３１と被係合部１０６とが係合する方向に、電池パック１０を所定の位置までスライドさせると、ストッパ３１が被係合部１０６に嵌り込み、電池パック１０が取付部１０１にしっかりと固定されるようになっている。
【００３１】
なお、取付部１０１に固定された電池パック１０を取り外す際には、ラッチ操作部４２を電池パック１０の内方に押し込み操作する必要がある。詳しくは後述するが、このラッチ操作部４２は、図３に示すように、電池パック１０の両側に相対するように２つ設けられている。
【００３２】
図４は、上記した電池パック１０の分解図である。この図４が示すように、電池パック１０は、複数の電池１３を接続して形成したバッテリセル１２、このバッテリセル１２を収容するケース本体１１、前記ケース本体１１の上部を覆う蓋部材２０、前記したストッパ３１を有する係合部材３０、前記係合部材３０を付勢するための押上部材３６、前記押上部材３６に対して付勢力を与える第１バネ３７、前記係合部材３０の作動を規制するための作動規制部材４０、前記作動規制部材４０を付勢する第２バネ３８、を備えて構成されている。
【００３３】
蓋部材２０は、電池パック１０の上部を覆う部材であり、ケース本体１１に対してネジ固定されることによって他部材を収容するケースを形成するものである。この蓋部材２０の両側部には、図４に示すように、前述したガイドレール部２１や溝２２が形成されている。また、このガイドレール部２１及び溝２２の終端部の延長線上には、前述したラッチ操作部４２を外部に露出させるための操作用開口２３が切欠かれて形成されている。また、上面には、前述したストッパ３１を突出させるためのラッチ口２４が開口している。
【００３４】
係合部材３０は、図４に示すように、上部に山形に突出するストッパ３１と、ストッパ３１の後方に延設されたアーム３２と、ストッパ３１の下方に設けられた下垂部３３と、を備えた部材である。ストッパ３１は、前方の面が傾斜して形成されるとともに、後方が略垂直な面として形成されている。また、下垂部３３は、下端に行くに従って後方に湾曲しており、突端３３ａが後方に設けられた当接部４１（後述）に臨むように配置される。
【００３５】
押上部材３６は、図４に示すように、上部の先端３６ａが曲面に形成された棒状の部材である。この押上部材３６は、曲面に形成された先端３６ａが係合部材３０と当接するとともに、下端に設けられた第１バネ３７によって上方に付勢されており、間接的に係合部材３０を上方へと付勢している。これにより、係合部材３０のストッパ３１は、ラッチ口２４から突出する方向へと付勢されている。なお、第１バネ３７の下端は、ケース本体１１に設けられた第１バネ受け部１１ａに支持されている。
【００３６】
作動規制部材４０は、係合部材３０の作動を規制するための部材であり、図４に示すように、操作用開口２３から操作可能に露出するラッチ操作部４２と、ラッチ操作部４２の内側に延出するように設けられた当接部４１と、ラッチ操作部４２の下方に設けられた支軸部４３と、を備えている。この作動規制部材４０は、ケース本体１１に設けられた作動規制部材受け部１１ｃに対して支軸部４３が回動可能に軸支されている。また、この作動規制部材４０は、当接部４１付近が第２バネ３８によって上方に付勢されており、通常時においてはラッチ操作部４２が略垂直となる姿勢を保っている。この状態からラッチ操作部４２を内方へと押し込み操作すれば、第２バネ３８の付勢力に抗ってラッチ操作部４２の上部が内側に倒れるように回動し、同時に当接部４１が下方に変位するように形成されている。なお、第２バネ３８の下端は、ケース本体１１に設けられた第２バネ受け部１１ｂに支持されている。
【００３７】
ところで、上記した係合部材３０は、電池パック１０の内部において摺動可能かつ揺動可能に支持されている。
【００３８】
すなわち、係合部材３０は、図６（ｃ）及び図７に示すように、前方を蓋部材２０の支持壁２５にサポートされるとともに、後方を当接部４１にサポートされており、更に、係合部材３０の下方には係合部材３０が摺動可能な空間としての摺動スペース１０ａが設けられている。これにより、係合部材３０は、図８及び図９に示すように、支持壁２５と当接部４１との間を上下に摺動可能となっている。なお、通常時においては、係合部材３０は押上部材３６（第２バネ３８）によって上方へと付勢され、ストッパ３１が前記取付部１０１に対して係合可能となるように付勢されている。そして、この付勢力に抗って係合部材３０を摺動させることにより、図８及び図９に示すように、ストッパ３１がラッチ口２４の内部に没入して退避可能に形成されている。
【００３９】
また、係合部材３０は、図６（ｃ）に示すように、通常時においては、作動規制部材４０の当接部４１が係合部材３０の下垂部３３の突端３３ａに臨む位置に配置されることにより揺動が規制されているものの、当接部４１が変位することで揺動可能なものである。すなわち、図１０（ｃ）に示すように、係合部材３０の下垂部３３の突端３３ａの後方には、係合部材３０が揺動可能な空間としての揺動スペース１０ｂが設けられている。これにより、ラッチ操作部４２を内方へと押し込み操作して当接部４１を下方に変位させ、係合部材３０の揺動の規制が解除されたときに、係合部材３０は揺動可能となるように形成されている。このとき、係合部材３０は、図１１に示すように回動軸部３２ａを支点として揺動する。すなわち、係合部材３０は、蓋部材２０の係合部材受け部２６に回動軸部３２ａが軸支されていることにより、後端部を支点として揺動する。これにより、ストッパ３１がラッチ口２４の内部に没入して退避するように形成されている。このとき、係合部材３０は、第１バネ３７の付勢力に抗って押上部材３６をやや下方に押しつけながら揺動する。押上部材３６の先端３６ａが曲面となっているのは、係合部材３０が揺動する際の摺動抵抗を小さくして、係合部材３０の揺動をスムーズにするためである。
【００４０】
次に、上記した電池パック１０を電動工具１００に取り付ける様子について説明する。
【００４１】
図１２に示すように、電池パック１０を取付部１０１に対して取り付け方向Ｄ１にスライドさせると、取付部１０１の先端部１０２ａがストッパ３１の傾斜面３１ａに当接し、この傾斜面３１ａをスライド方向に押圧する。このスライド方向に加えられた力は、ストッパ３１の傾斜面３１ａによってストッパ３１を退避させる方向（下向き）の力に変換され、ストッパ３１が内方へと押し込まれる。
【００４２】
更に電池パック１０を取り付け方向Ｄ１にスライドさせると、図１３に示すように、ストッパ３１は完全にラッチ口２４の内部に没入して退避させられる。
【００４３】
更に電池パック１０を取り付け方向Ｄ１にスライドさせ、ストッパ３１が被係合部１０６の位置に来るまでスライドさせると、ストッパ３１が取付部１０１（被係合部１０６）に対して係合可能となるように付勢されているため、図１４に示すように、被係合部１０６に対してストッパ３１が係合し、取り付けが完了する。
【００４４】
なお、ストッパ３１の後面は略垂直であるため、電池パック１０を取り外し方向Ｄ２にスライドさせる力が働いたとしても、このスライド方向に働く力がストッパ３１を退避させる方向の力に変換される（下向きの分力が加わる）ことはない。このため、係合部材３０の揺動が規制されている状態においてはストッパ３１を退避させることはできないため、電池パック１０が取付部１０１から外れることはない。
【００４５】
次に、上記した電池パック１０を電動工具１００から取り外す様子について説明する。
【００４６】
電池パック１０を電動工具１００から取り外す際には、まずラッチ操作部４２を操作して係合部材３０の揺動の規制を解除する。
【００４７】
係合部材３０の揺動の規制を解除した上で電池パック１０を取付部１０１から取り外す方向Ｄ２にスライドさせると、図１５に示すように、取付部１０１の被係合部１０６の後部（取り外し方向Ｄ２に見れば前部）がストッパ３１の垂直面３１ｂに当接してスライド方向に押圧する。これにより、係合部材３０が揺動し、ストッパ３１が内方へと押し込まれる。
【００４８】
更に電池パック１０を取り外し方向Ｄ２にスライドさせると、図１６に示すように、ストッパ３１は完全にラッチ口２４の内部に没入して退避させられる。これにより、被係合部１０６とストッパ３１とのが係合が解除され、電池パック１０を取付部１０１から取り外すことができる。なお、取り外しが完了すれば、第１バネ３７の付勢力により、係合部材３０は図６に示すような通常時の位置に戻る。
【００４９】
本実施形態は上記の通りであり、係合部材３０は、摺動可能かつ揺動可能に支持されるとともに、ストッパ３１が取付部１０１に対して係合可能となるように付勢されており、当該付勢力に抗って摺動または揺動したときにストッパ３１が退避するものであって、作動規制部材４０は、前記係合部材３０の揺動を規制するための当接部４１と、前記当接部４１を変位させて前記係合部材３０の揺動の規制を解除するためのラッチ操作部４２と、を有している。そして、電池パック１０が取り付け方向Ｄ１にスライドされたときには、前記取付部１０１に押圧された前記係合部材３０が摺動して前記ストッパ３１を退避させるとともに、前記ラッチ操作部４２が操作されて前記係合部材３０の揺動の規制が解除された上で前記電池パック１０が取り外し方向Ｄ２にスライドされたときには、前記取付部１０１に押圧された前記係合部材３０が揺動して前記ストッパ３１を退避させるように形成されている。
【００５０】
すなわち、電池パック１０を取り外すためにストッパ３１を退避させる動作を、ラッチ操作部４２の操作によるのではなく、取付部１０１のスライドによって行うようにしており、ラッチ操作部４２の操作は単にストッパ３１を退避可能な状態とするためのものとして設けられている。
【００５１】
このため、係合部材３０を作動させるための摺動面というものを設ける必要がなく、摺動面が荒れて摩擦抵抗が大きくなるという問題が発生することもない。よって、荷重が増大して操作性が悪くなることや、操作ができなくなるという問題を回避することができる。
【００５２】
また、ラッチ操作部４２を操作しただけでは電池パック１０の係合が外れないため、誤ってラッチ操作部４２を操作したとしても電池パック１０が落下することがない。よって、取り扱いの安全性を高めることもできる。
【００５３】
また、係合部材３０の付勢力を決定する第１バネ３７と、作動規制部材４０の付勢力を決定する第２バネ３８と、を別々に設けたため、係合に必要な荷重と操作に必要な荷重とを別々に設定でき、適正な荷重を選択することができる。
【００５４】
なお、上記した実施形態においては、電動工具１００としての電動回転工具を挙げ、この電動工具１００に電池パック１０を取り付け可能とした例について説明したが、本発明の実施形態としてはこれに限らない。例えば、電動回転工具以外の電動工具（例えば、電動丸鋸や電動鋏など）でも同様に適用することができる。また、図１７に示すように、充電器２００に電池パック１０を取り付け可能としてもよい。
【００５５】
また、上記した実施形態においては、蓋部材２０の上面のラッチ口２４からストッパ３１を突出させて、取付部１０１の被係合部１０６と係合させる構成としたが、これに限らない。例えば、蓋部材２０の両側の溝２２の位置にストッパを突出させた構成にするとともに、取付部１０１のスライド溝１０５に被係合部を設けることによって、ストッパと被係合部とを係合させる構成としてもよい。この態様においても、ラッチ操作部４２でストッパを退避可能に構成すればよい。
【００５６】
また、上記した実施形態においては、作動規制部材４０を電池パック１０の両側に設けたが、これに限らず、側部以外の位置に作動規制部材４０を配置してもよい。例えば、作動規制部材４０を電池パック１０の後部位置に配置してもよい。
【００５７】
また、上記した実施形態においては、作動規制部材４０は押し込み操作により作動することとしたが、これに限らない。例えば、作動規制部材４０を上下にスライドさせたり、回動させたりすることによって当接部４１が変位するように構成し、これによって係合部材３０の揺動の規制を解除するように構成してもよい。
【符号の説明】
【００５８】
１０  電池パック
１０ａ  摺動スペース
１０ｂ  揺動スペース
１１  ケース本体
１１ａ  第１バネ受け部
１１ｂ  第２バネ受け部
１１ｃ  作動規制部材受け部
１２  バッテリセル
１３  電池
２０  蓋部材
２１  ガイドレール部
２２  溝
２３  操作用開口
２４  ラッチ口
２５  支持壁
２６  係合部材受け部
２７  縦溝
３０  係合部材
３１  ストッパ
３１ａ  傾斜面
３１ｂ  垂直面
３２  アーム
３２ａ  回動軸部
３３  下垂部
３３ａ  突端
３６  押上部材
３６ａ  先端
３７  第１バネ
３８  第２バネ
４０  作動規制部材
４１  当接部
４２  ラッチ操作部（操作部）
４３  支軸部
１００  電動工具
１０１  取付部
１０２  底盤
１０２ａ  先端部
１０３  側下垂部
１０４  案内凸条
１０５  スライド溝
１０６  被係合部
２００  充電器
Ｄ１  取り付け方向
Ｄ２  取り外し方向
【図１】
0005553053.tif 000002
【図２】
0005553053.tif 000003
【図３】
0005553053.tif 000004
【図４】
0005553053.tif 000005
【図５】
0005553053.tif 000006
【図６】
0005553053.tif 000007
【図７】
0005553053.tif 000008
【図８】
0005553053.tif 000009
【図９】
0005553053.tif 000010
【図１０】
0005553053.tif 000011
【図１１】
0005553053.tif 000012
【図１２】
0005553053.tif 000013
【図１３】
0005553053.tif 000014
【図１４】
0005553053.tif 000015
【図１５】
0005553053.tif 000016
【図１６】
0005553053.tif 000017
【図１７】
0005553053.tif 000018